(57)【要約】【課題】ディスク状記録媒体の軸線がほぼ水平であって垂直な平面上に装着される縦置き型のディスクプレーヤにおいて、とくにディスク状記録媒体の装着の操作性を改善するとともに、装着のための開口を覆う蓋体の大きさを小さくしてデザイン性を改善する。【解決手段】記録再生ユニット２１を取付けた摺動板１１を上下方向に摺動可能に支持するとともに、この摺動板２１の横溝２９に蓋体３４の側板部３５、３６の係合ピン３８を係合させ、しかも蓋体３４の回動動作をダンパ４３によって緩衝するようにし、蓋体３４の回動動作に連動して摺動板１１を上下動させる。【選択図】  図６
2004326869.tif 000002
【特許請求の範囲】
【請求項１】
ディスク状記録媒体を記録再生装置に装着して記録および／または再生を行なうディスクプレーヤにおいて、
ほぼ高さ方向に摺動可能に支持され、記録再生ユニットを取付けた摺動板と、
前記摺動板を上昇させて前記ディスク状記録媒体を前記摺動板上に載置するための開口部を開閉自在に覆う蓋体と、
を具備し、前記蓋体の支点位置に対して偏倚して設けられた係合ピンが前記摺動板の被係合部と係合され、前記蓋体の開放動作に連動して前記摺動板が上方に移動し、前記蓋体の閉蓋動作に連動して前記摺動板が下方に移動することを特徴とするディスクプレーヤ。
【請求項２】
前記蓋体の側板に前記係合ピンが植設されるとともに、前記摺動板の側部に形成されたほぼ横方向に延びる係合溝に前記係合ピンが係合されることを特徴とする請求項１に記載のディスクプレーヤ。
【請求項３】
前記摺動板が背面側の基体の案内部によってほぼ高さ方向に摺動自在に支持されることを特徴とする請求項１に記載のディスクプレーヤ。
【請求項４】
前記摺動板が弾性部材によって上方に摺動付勢されるとともに、該弾性部材の弾性復元力が前記係合溝および前記係合ピンを介して前記蓋体に伝達され、前記蓋体が開く方向の付勢力を受けることを特徴とする請求項２に記載のディスクプレーヤ。
【請求項５】
前記蓋体がダンパと連動され、該ダンパによって前記蓋体の回動動作が緩衝されるとともに、前記係合ピンおよび前記係合溝を介して前記摺動板の移動動作が緩衝されることを特徴とする請求項２に記載のディスクプレーヤ。
【請求項６】
前記蓋体の側板にセグメントギヤが設けられ、該セグメントギヤが前記ダンパのピニオンと噛合うことを特徴とする請求項５に記載のディスクプレーヤ。
【請求項７】
前記摺動板上にターンテーブルと光ピックアップとを具備する記録再生ユニットを備え、前記ディスク状記録媒体を前記ターンテーブル上に装着して前記光ピックアップによって信号の書込みまたは読出しを行なうことによって記録および／または再生を行なうことを特徴とする請求項１に記載のディスクプレーヤ。
【請求項８】
前記ターンテーブルがセンターチャックを有し、前記摺動板を上方に移動させて前記ディスク状記録媒体を前記センターチャックによって前記ターンテーブルに装着することを特徴とする請求項７に記載のディスクプレーヤ。
【発明の詳細な説明】
【０００１】
【発明の属する技術分野】
本発明はディスクプレーヤに係り、とくにディスク状記録媒体を記録再生位置に装着して記録および／または再生を行なうディスクプレーヤに関する。
【０００２】
【従来の技術】
コンパクトディスク（ＣＤ）等のディスク状記録媒体を用いて音声の再生や、デジタル信号の記録再生を行なうようにしている。このようなディスクプレーヤは、上記ディスク状記録媒体を例えばトレーに載置してローディング動作を行なうようにし、トレーによってディスク状記録媒体がターンテーブル上に載置されるとともに、ターンテーブルによって回転駆動され、このときに上記ディスク状記録媒体の半径方向に移動する光学ヘッドによって信号の書込みあるいは読取りが行なわれる。
【０００３】
なお例えば特開平１１−３３９３５１号公報には、機器の上面キャビネットに配置されたディスク蓋と、ディスク蓋を開状態から閉状態まで回動させるディスク蓋駆動手段であるモータと、ディスク蓋の回転に連動する中継レバーと、中継レバーの動作に連動して上下に移動するディスクトレイと、上面キャビネットにディスクを収納するために形成されたディスク収納部とを備え、ディスク蓋が閉状態から開状態に回動すると同時に、ディスクトレイがほぼ水平状態を保ちながら上昇するように構成し、機器の上面にディスク蓋が載置されてディスクを出し入れする際に、ディスクの出し入れが非常に行ない易いようにしたディスク再生装置が提案されている。
【０００４】
【特許文献１】特開平１１−３３９３５１号公報
【特許文献２】特開２００１−５２４０２号公報
【発明が解決しようとする課題】
このようなコンパクトディスク等のディスク状記録媒体を用いたディスクプレーヤにおいて、そのディスクの装着部を開閉自在に覆う蓋体を開閉する方式を単一の支点から成る回動式の構造とすると、極めて簡潔な構造となってコスト的に有利になる。ところがこのような構造は蓋体の開閉動作が単なる回動運動しか行なわないために動作としての魅力に欠ける。
【０００５】
そこで例えばモータ駆動を用いた蓋体の開閉機構が考察される。この場合にはモータの出力を伝動機構を介して蓋体に伝達するために、構造が複雑になる。またとくにコンパクトディスクの軸線を水平にしてコンパクトディスクを垂直な平面上に載置するようにした構造は、ディスクプレーヤのとくに機構部の寸法が大きくなるとともに、コスト的に不利になる問題がある。なお上記のモータ駆動に代えてマニュアル操作によって上記の動作を達成するようにした場合には、機構的には小さくなるものの、コンパクトディスクの装着時の操作の手順が増加し、これによって操作性を損う欠点がある。
【０００６】
本発明はこのような問題点に鑑みてなされたものであって、ディスク状記録媒体の装着の操作性に優れ、機構が簡潔でしかもコスト的にも有利でデザイン性が改善されるようにしたディスクプレーヤを提供することを目的とする。
【０００７】
【課題を解決するための手段】
本願の主要な発明は、
ディスク状記録媒体を記録再生装置に装着して記録および／または再生を行なうディスクプレーヤにおいて、
ほぼ高さ方向に摺動可能に支持され、記録再生ユニットを取付けた摺動板と、
前記摺動板を上昇させて前記ディスク状記録媒体を前記摺動板上に載置するための開口部を開閉自在に覆う蓋体と、
を具備し、前記蓋体の支点位置に対して偏倚して設けられた係合ピンが前記摺動板の被係合部と係合され、前記蓋体の開放動作に連動して前記摺動板が上方に移動し、前記蓋体の閉蓋動作に連動して前記摺動板が下方に移動することを特徴とするディスクプレーヤに関するものである。
【０００８】
ここで前記蓋体の側板に前記係合ピンが植設されるとともに、前記摺動板の側部に形成されたほぼ横方向に延びる係合溝に前記係合ピンが係合されることが好ましい。また前記摺動板が背面側の基体の案内部によってほぼ高さ方向に摺動自在に支持されることが好ましい。また前記摺動板が弾性部材によって上方に摺動付勢されるとともに、該弾性部材の弾性復元力が前記係合溝および前記係合ピンを介して前記蓋体に伝達され、前記蓋体が開く方向の付勢力を受けることが好ましい。また前記蓋体がダンパと連動され、該ダンパによって前記蓋体の回動動作が緩衝されるとともに、前記係合ピンおよび前記係合溝を介して前記摺動板の移動動作が緩衝されることが好ましい。また前記蓋体の側板にセグメントギヤが設けられ、該セグメントギヤが前記ダンパのピニオンと噛合うことが好ましい。また前記摺動板上にターンテーブルと光ピックアップとを具備する記録再生ユニットを備え、前記ディスク状記録媒体を前記ターンテーブル上に装着して前記光ピックアップによって信号の書込みまたは読出しを行なうことによって記録および／または再生を行なうことが好ましい。また前記ターンテーブルがセンターチャックを有し、前記摺動板を上方に移動させて前記ディスク状記録媒体を前記センターチャックによって前記ターンテーブルに装着することが好ましい。
【０００９】
本願に含まれる発明の好ましい態様は、コンパクトディスク等のディスク状記録媒体を用いて記録および／または再生を行なうディスクプレーヤにおいて、そのディスク状記録媒体の装着部を覆う蓋体の開閉機構を簡潔でしかも操作性に優れた機構とし、デザイン性の改善を図るようにしたものである。すなわち単一の支点を中心として回動動作をする蓋体と、記録再生ユニットを搭載した摺動板とを具備し、上記蓋体の回動動作に連動して摺動板が摺動動作するようにしたものである。とくにディスク状記録媒体の軸線がほぼ水平であってディスク状記録媒体がほぼ垂直な平面上で装着されるようにした構成において、蓋体の開閉動作によって摺動板が上下方向に移動する構造を採用するとともに、摺動板とキャビネットの前面側のパネルとによってディスクを受けるホルダ構造を構成し、ディスク状記録媒体の着脱操作の操作性を向上させている。
【００１０】
ここでとくに蓋体を開放して摺動板を上方に移動した状態において、この摺動板の先端部がセット本体の外に飛出さない寸法とし、これによってデザイン性の改善を図る。また摺動板が上方に移動するように構成するとともに、摺動板とキャビネットの前面板とによってホルダを構成し、これによって蓋体を小さくすることが可能になり、蓋体のデザインの自由度が向上する。また蓋体が小さくなることからキャビネットのスペースが増大し、このようなキャビネットのスペースを利用して表示エリアや操作釦エリアを設ける。
【００１１】
上記のような態様によれば、簡潔な構造と低コストで、操作性の向上とデザイン性の改善とを図ることが可能になる。また蓋体の開放動作によって摺動板が上方に移動するとともに、摺動板とキャビネットの前面板とによってディスクを受けるホルダを形成することができるために、ディスク状記録媒体の着脱の操作性が向上する。
【００１２】
また蓋体を最大の角度まで開放した状態においてなお摺動板がキャビネットの外部に飛出さないために、デザイン的に有利になる。さらには蓋体を小さくすることができ、蓋体のデザインの自由度が向上する。また蓋体を小さくして広くなったキャビネット上のスペースに表示手段や操作釦を設けることができるようになる。また蓋体の開閉動作と摺動板の移動動作とが連動するとともに、とくに両者をダンパによって緩衝することによって機構的な魅力が付加できるようになる。
【００１３】
【発明の実施の形態】
図１〜図４は本願に含まれる発明の一実施の形態に係るディスクプレーヤを示すものであって、このディスクプレーヤはほぼ垂直に直立する基体１０を備えている。そして基体１０の前面側には摺動板１１が上下方向に摺動可能に支持されている。すなわち摺動板１１の背面側に突設されたサポート１２が基体１０の複数の長孔１３に摺動可能に係合されるとともに、サポート１２の先端部にばね１４が係止され、これによって摺動板１１が上方に摺動付勢される。
【００１４】
上記摺動板１１上には異形の開口２０が形成されるとともに、この異形の開口２０に記録再生ユニット２１が取付けられている。記録再生ユニット２１は合成樹脂製フレーム２２を備えるとともに、このフレーム２２上に回転自在にターンテーブル２３を取付けるようにし、さらにターンテーブル２３の中心部にはセンターチャック２４が設けられている。また合成樹脂製フレーム２２上には上記ターンテーブル２３に対して半径方向に移動可能に光ピックアップ２５が取付けられている。
【００１５】
上記摺動板１１の左右両側にはそれぞれ背面側に突出するように突片２８が連設されるとともに、これらの突片２８には横方向に延びる溝２９が形成されている。
【００１６】
キャビネットの前面側には図２および図３に示すようにその上部側に横長の矩形の開口３３が形成され、この開口３３を開閉自在に覆うように蓋体３４が設けられている。蓋体３４は左右の側板部３５、３６を一体に連設するとともに、これらの側板部３５、３６が支点ピン３７によって回動可能に支持されている。さらに上記蓋体３４の側板部３５、３６の支点ピン３７に対して偏倚する位置には係合ピン３８が内側に突出して形成され、これらの係合ピン３８が上記摺動板１１の突片２８に形成されている横溝２９と係合されるようになっている。
【００１７】
また上記蓋体３４の左側の側板３５にはその外周面上にセグメントギヤ３９が形成されている。このセグメントギヤ３９はダンパ４３のピニオン４４に噛合っており、これによって蓋体３４の回動動作が緩衝されるようになっている。
【００１８】
また蓋体３４にはその上端側であって内側に突出するように爪４７が設けられている。爪４７はロック板４８の切欠き４９と係合されるようになっている。なおロック板４８は引張りコイルばね５０によってロックする方向に摺動付勢されている。
【００１９】
上記蓋体３４によって開閉される開口３３の下側であってこのキャビネットの前面板５８は図４に示すように上記摺動板１１との間に所定の隙間を有し、これによって両者でポケット５９を形成するようにしている。そして摺動板１１の下端側の部分には突条５７が形成され、この突条５７によってポケット５９の底部が構成されている。
【００２０】
このように本実施の形態のディスクプレーヤは、蓋体３４が支点ピン３７を中心として回動可能に支持されるとともに、蓋体３４の側板部３５、３６の支点ピン３７の近傍の係合ピン３８が摺動板１１の突片２８の横溝２９に係合されており、蓋体３４の開閉動作によって摺動板１１がばね１４に抗して上下方向に移動する構造になっている。しかも蓋体３４の側板部３５のセグメントギヤ３９がダンパ４３のピニオン４４と噛合っている。なお蓋体３４は上記摺動板１１を上方に摺動付勢するばね１４を介して開く方向に摺動付勢される。
【００２１】
以上のような構成において、蓋体３４をロックしているロック板４８を引張りコイルばね５０に抗して下方に移動させると、蓋体３４の爪４７がロック板４８の切欠き４９から離脱する。従って蓋体３４は摺動板１１を上方に摺動付勢するばね１４の付勢力によって、横溝２９および係合ピン３８を介して回動付勢力を受け、支点ピン３７を中心として図５および図６に示すように時計方向に回動する。
【００２２】
上記のような蓋体３４のばね１４の付勢力による開放動作の際に、蓋体３４の側板部３５のセグメントギヤ３９がダンパ４３のピニオン４４と係合し、これによって蓋体３４は支点ピン３７を中心としてゆっくりと時計方向に回動する。これによってキャビネットの開口３３が開放される。
【００２３】
上述のような蓋体３４の開放動作に連動して、蓋体３４の左右の側板部３５、３６にそれぞれ設けられている係合ピン３８が摺動板１１の横溝２９を上方に押すために、摺動板１１が上昇動作する。すなわち蓋体３４の回動動作と摺動板１１の昇降動作とが連動することになる。しかも摺動板１１の上昇動作は、蓋体３４を介してダンパ４３によって緩衝される。
【００２４】
図６に示すように蓋体３４が開かれかつ摺動板１１が上方へ移動された状態で、この摺動板１１上の記録再生ユニット２１のターンテーブル２３上にコンパクトディスク５５を装着する。すなわちコンパクトディスク５５の中心孔をターンテーブル２３の中心部に設けられているセンターチャック２４に係合させることによって、コンパクトディスク５５が装着されることになる。
【００２５】
このようにしてコンパクトディスク５５を記録再生ユニット２１上のターンテーブル２３に装着したならば、蓋体３４を閉じる。この動作は図６に示す状態から図５を経由して図４に示す状態に移行する動作である。蓋体３４を閉じる方向に移動させると、ばね１４の弾性付勢力に抗して蓋体３４が支点ピン３７を中心として反時計方向に回動される。このときに側板部３５のセグメントギヤ３９がダンパ４３のピニオン４４を駆動するために、蓋体３４はゆっくりと閉じる方向に回動される。
【００２６】
またこのような蓋体３４の閉蓋動作に連動して、蓋体３４の側板部３５、３６の係合ピン３８が摺動板１１の両側の横溝２９を下方に押圧するために、摺動板１１が図６から図５を経て図４に示すように下方に移動する。
【００２７】
蓋体３４が完全に閉じられるとともにこれに連動して摺動板１１が図４に示すように完全に下方に移動されたならば、この状態において記録再生ユニット２１のターンテーブル２３によってコンパクトディスク５５が回転駆動される。そしてコンパクトディスク５５に対して光ピックアップ２５が半径方向に移動し、信号の書込みあるいは読出しが行なわれる。
【００２８】
このように本実施の形態のディスクプレーヤは、摺動板１１がキャビネットの中でのみしか移動せず、キャビネットの外には飛出さない構造としている。従って見掛け上は単純な蓋体の開閉構造と同一であるが、コンパクトディスク５５が装着されている場合には、蓋体３４を図６に示すように開放すると、コンパクトディスク５５の上縁はキャビネットの上方に飛出す形になる。またコンパクトディスク５５の装着時に、図６に示すように前面板５８と下端に突条５７を有する摺動板１１とによってポケット５９が形成され、このポケット５９がホルダとして機能するために、ポケット５９にコンパクトディスク５５を仮に置くことができ、このためにコンパクトディスク５５を安定に装着することができる。すなわちコンパクトディスクを手から落としても、ポケット５９によって受けられることになる。
【００２９】
このようなディスクプレーヤは、摺動板１１の蓋体３４に連動する上下方向の移動機構と、コンパクトディスク５５を受けるホルダとなるポケット５９の構造とによって、コンパクトディスク５５の装着に必要な開口３３の大きさを小さくすることが可能になり、これによって蓋体３４の寸法を小さくできるようになる。従って蓋体３４のデザインの自由度が向上する。また蓋体３４の寸法を小さくすることが可能になるために、開口３３の大きさが小さくなってフロントパネル上における表示エリアや操作釦を配するスペースが拡大することになる。
【００３０】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記ディスクプレーヤはコンパクトディスクの再生装置に関するものであるが、本願発明はその他の各種のディスク状記録媒体の記録再生のための装置に広く適用可能である。
【００３１】
【発明の効果】
本願の主要な発明は、ディスク状記録媒体を記録再生装置に装着して記録および／または再生を行なうディスクプレーヤにおいて、ほぼ高さ方向に摺動可能に支持され、記録再生ユニットを取付けた摺動板と、摺動板を上昇させてディスク状記録媒体を摺動板上に載置するための開口部を開閉自在に覆う蓋体と、を具備し、蓋体の支点位置に対して偏倚して設けられた係合ピンが摺動板の被係合部と係合され、蓋体の開放動作に連動して摺動板が上方に移動し、蓋体の閉蓋動作に連動して摺動板が下方に移動するようにしたものである。
【００３２】
従ってこのようなディスクプレーヤによれば、蓋体の開放動作に連動して記録再生ユニットを取付けた摺動板が上下方向に移動することになり、とくに蓋体の開放動作に連動して摺動板が上方に移動するために、ディスク状記録媒体の装着の操作性が改善されるとともに、ディスク状記録媒体の装着部を開閉自在に覆う蓋体の大きさを小さくすることが可能になり、これによってディスクプレーヤのデザイン性を改善できるようになる。
【図面の簡単な説明】
【図１】ディスクプレーヤの要部分解斜視図である。
【図２】同ディスクプレーヤの要部正面図である。
【図３】同ディスクプレーヤの横断面図である。
【図４】同ディスクプレーヤの縦断面図である。
【図５】蓋体の開放動作を示す要部側断面図である。
【図６】蓋体を完全に開放した状態の要部側断面図である。
【符号の説明】
１０‥‥基体、１１‥‥摺動板、１２‥‥サポート、１３‥‥長孔、１４ばね、２０‥‥開口、２１‥‥記録再生ユニット、２２‥‥合成樹脂製フレーム、２３‥‥ターンテーブル、２４‥‥センターチャック、２５‥‥光ピックアップ、２８‥‥突片、２９‥‥横溝、３３‥‥開口、３４‥‥蓋体、３５‥‥側板部（左）、３６‥‥側板部（右）、３７‥‥支点ピン、３８‥‥係合ピン、３９‥‥セグメントギヤ、４３‥‥ダンパ、４４‥‥ピニオン、４７‥‥爪、４８‥‥ロック板、４９‥‥切欠き、５０‥‥引張りコイルばね、５５‥‥コンパクトディスク、５７‥‥突条、５８‥‥前面板、５９‥‥ポケット
【図１】
2004326869.tif 000003
【図２】
2004326869.tif 000004
【図３】
2004326869.tif 000005
【図４】
2004326869.tif 000006
【図５】
2004326869.tif 000007
【図６】
2004326869.tif 000008